(57)【要約】      （修正有）【課題】広告、宣伝効果を高めたティッシュボックスを提供する。【解決手段】板紙、樹脂シート又は段ボール紙を型抜きしたシートを組み立てて形成された六面体の箱であって、箱の上面にティッシュ取り出し口を備え、箱の上面は前が低く、後方が高い傾斜を有する。外周の各面に広告、宣伝の文字、デザインを描く。【選択図】図８
0003181489.tif 000002
【実用新案登録請求の範囲】
【請求項１】
板紙・樹脂シート・段ボール紙を素材とし、型抜きした部品を組み立てる事で箱となり、その中へ市販されるティッシュボックスを収容することができ、組み立て前は平板な１枚のシートであるため、輸送する際も低コストとなる事を特徴とするティッシュボックス。
【請求項２】
請求項1のティッシュボックスは外周の各面に広告・宣伝の文字・デザインを描く事で、ＰＯＰ用品としての効用を持ち、背面上に更に広がる広告・宣伝スペースがある事で広告・宣伝機能を高めた事を特徴とするティッシュボックス。
【請求項３】
請求項１のティッシュボックスはティッシュ取り出し口を上面へ設けているが、取り出し面を前に低く、後ろに高く傾斜を付ける事で、取出しがスムーズに行なえるようになり、その事で全面からの視認性が高まり広告・宣伝機能が向上する事を特徴とするティッシュボックス。
【考案の詳細な説明】
【技術分野】
【０００１】
本考案は、市販されるレギュラーサイズのテイッシュペーパー（箱入り）を使用してＰＯＰ効果を上げるための、卓上に置くティッシュボックスに関するものである。
【背景技術】
【０００２】
市販されるティッシュペーパー（箱入り）の外周に意匠・文字を直接描写しＰＯＰ効果を期待しても、目に触れる時間は少なく、ティッシュそのものが消耗品であるため短時間でゴミとして処分されるため、その効果を継続的に望めなかったり、すばやい内容変更に対処するにはコスト的に問題があった。
【考案の概要】
【考案が解決しようとする課題】
【０００３】
市販されるレギュラーサイズのティッシュペーパーを一回り大きな箱に収納し、その箱自体に広告・宣伝に特化した機能を持たせる事ができると、軽費で広告・宣伝効果は増大し、かつ一箱消費後もティッシュペーパーを簡単に入れ替えて再利用できれば宣伝・広告効果は継続して期待できる。
【課題を解決するための手段】
【０００４】
本考案は板紙・樹脂シート・段ボール紙等素材シートを型抜きにより切り出される部品を折たたみ一回り大きなティッシュボックスを作り、上部を開けてその中に市販されるティッシュ自体をそのまま収容する。
【０００５】
収納する大きな箱には外周全体に任意に意匠・文字を施し、目的のＰＯＰとして卓上に設置する。背面には一段高く更なる印刷スペースがあるため、情報量は飛躍的に向上する。
【０００６】
ティッシュの取り出しをスムーズに行なえるように、取り出し口のある面は、前をやや低く、後ろをやや高めに傾斜させている。そうする事で前面からの視認性が高まりＰＯＰ効果を一層高めることができる。
【０００７】
収納したティッシュがなくなれば、上部を開け新しい物との交換も容易に行なえるため、
ＰＯＰ効果は更に継続延長されることになる。
【考案の効果】
【０００８】
使い捨てとなり易いティッシュボックス自体の広告・宣伝効果を高めるために、一回り大きな箱の中に収容し、卓上で長期に利用にする事で多くの人に長時間目に付く事となり、広告・宣伝スペースの拡大のため一層の広告・宣伝効果を期待できる。また本体への直接印刷に比べ、外箱だけの印刷なので簡単に模様替えもでき、タイミングを逃さない広告・宣伝媒体となり、かつ経費も低減できる。ティッシュボックスは組み立てる前は平板なシート状なので、他の物と同梱して送る事も可能で、輸送コストも削減できるし、本来のティッシュの取り出しもスムーズに行える。
【図面の簡単な説明】
【０００９】
図１  本考案の正面図である
図２  本考案の背面図である
図３  本考案の左側面図である
図４  本考案の右側面図である
図５  本考案の平面図である
図６  本考案の底面図である
図７  本考案の縮小展開図である
図８  本考案の斜視図である
図９  本考案の矢視Ａ−Ａ断面図である
【考案を実施するための形態】
【００１０】
以下、本考案を説明する。板紙・樹脂シート・段ボール紙等素材シートに打抜き処理により、図７に示す展開図のような部品を型抜きする。部品には型押し（半切折込罫線）処理がされており、図８に示すティッシュボックスが簡単に組み立てられる。
【００１１】
市販されているティッシュは、ティッシュボックス上部を開けて中へ収容する。
【００１２】
ティッシュボックスの外周には任意な意匠・文字を施し、背面には一段高く印刷スペースを設けているので情報量の拡大ができ、目的のＰＯＰとして卓上に設置する。卓上に設置する事で人の目に触れやすく広告・宣伝効果は継続する。意匠等の変更は外箱だけの変更なので、短時間にかつ低コストで変更可能であり、ＰＯＰとして非常に便利な使い方ができる。
【００１３】
ティッシュボックスにはティッシュの取り出し口が、上面に設けられており、その面は前面はやや下へ、奥はやや上へ傾斜となっているため、手を伸ばして中のティッシュを取り出すのは非常にスムーズに行なえる。更にそのため、前面からの視認性が高まり、一層広告・宣伝効果が増進する。
【００１４】
ティッシュの残量が少なくなれば上部を開け、追加も簡単に行なえるので通常のティッシュ単独より長期に使えるため、広告・宣伝媒体としても効果を継続する事ができる。
【００１５】
ティッシュボックスは組み立てる前は図８に示す型抜きされた平板なシート状であるため、送る場合も他の書類との同梱することもできるし、輸送コストも低額ですむ。
【実施例】
【００１６】
実際の実施例においては、輸送の簡便性は多少損なわれるが、プラスチック成型品での作成なら長期の耐性で勝る。サイズに関してもレギュラーサイズにこだわらず、ポケットサイズに対応することも可である。更に、紙ナプキンへの応用も可能である。
【符号の説明】
【００１７】
Ａ  本体断面図の視座。
図中の破線は半切折込罫線を表す。
【図８】
0003181489.tif 000003
【図１】
0003181489.tif 000004
【図２】
0003181489.tif 000005
【図３】
0003181489.tif 000006
【図４】
0003181489.tif 000007
【図５】
0003181489.tif 000008
【図６】
0003181489.tif 000009
【図７】
0003181489.tif 000010
【図９】
0003181489.tif 000011
【手続補正書】
【提出日】平成24年6月20日(2012.6.20)
【手続補正１】
【補正対象書類名】実用新案登録請求の範囲
【補正対象項目名】全文
【補正方法】変更
【補正の内容】
【実用新案登録請求の範囲】
【請求項１】
板紙・樹脂シートまたは段ボール紙を素材とし、型抜きした部品を組み立てる事で箱となり、組み立て前は平板な１枚のシート状である事を特徴とするティッシュボックス。
【請求項２】
請求項１のティッシュボックスは外周の各面の広告・宣伝の文字・デザインを描くスペースに加え、背面上に更に広がる広告・宣伝スペースがある事を特徴とするティッシュボックス。
【請求項３】
請求項１のティッシュボックスはティッシュ取り出し口を上面に設けているが、取り出し面を前に低く、後ろに高く傾斜を付ける事を特徴とするティッシュボックス。
【手続補正２】
【補正対象書類名】明細書
【補正対象項目名】０００９
【補正方法】変更
【補正の内容】
【０００９】
【図１】本考案の正面図である
【図２】本考案の背面図である
【図３】本考案の左側面図である
【図４】本考案の右側面図である
【図５】本考案の平面図である
【図６】本考案の底面図である
【図７】本考案の縮小展開図である
【図８】本考案の斜視図である
【図９】本考案の矢視Ａ−Ａ断面図である
【手続補正書】
【提出日】平成24年9月20日(2012.9.20)
【手続補正１】
【補正対象書類名】実用新案登録請求の範囲
【補正対象項目名】全文
【補正方法】変更
【補正の内容】
【実用新案登録請求の範囲】
【請求項１】
板紙、樹脂シートまたは段ボール紙を素材とし、型抜きした部品を組み立てる事でティッシュ取り出し口を上面に設けているが、取り出し面に前に低く、後ろに高く傾斜を付けた箱となり、組み立て前は平板な１枚のシート状である事を特徴とするティッシュボックス。
【請求項２】
請求項１のティッシュボックスは外周の各面の広告・宣伝の文字・デザインを描くスペースに加え、背面上に更に広がる広告・宣伝スペースがある事を特徴とするティッシュボックス  。
【手続補正書】
【提出日】平成24年11月21日(2012.11.21)
【手続補正１】
【補正対象書類名】実用新案登録請求の範囲
【補正対象項目名】全文
【補正方法】変更
【補正の内容】
【実用新案登録請求の範囲】
【請求項１】
板紙、樹脂シートまたは段ボール紙を素材とし、型抜きした平板な１枚のシート状である部品を組み立てて形成された六面体の箱であって、前記箱の上面にティッシュ取り出し口を備え、前記箱の上面は前が低く、後方が高い傾斜を有する事を特徴とするティッシュボックス。
【請求項２】
請求項１のティッシュボックスは外周の各面の広告・宣伝の文字・デザインを描くスペースに加え、背面上に更に広がる広告・宣伝スペースがある事を特徴とするティッシュボックス  。